(57)【特許請求の範囲】
【請求項１】
センサおよびサーバを含む設備端末制御システムにおいて、
前記センサの出力信号に応じて制御される設備端末と、
前記設備端末を操作する操作端末であって、前記センサを取り付けることおよび前記センサを取り外すことが可能なセンサモジュールとが設けられていること、
前記センサの種類に対応した複数のアプリケーションが前記サーバに記憶されていること、
前記センサが前記センサモジュールに取り付けられ、該センサモジュールが前記センサに対応するアプリケーションのダウンロード要求を検出すると、該センサに記憶されている識別情報に応じた出力信号が前記センサモジュールを介して前記サーバに送信されること、
前記サーバから前記センサモジュールに、前記取り付けられたセンサに対応するアプリケーションが送信されること、
前記センサモジュールに前記センサが取り付けられているとき、前記センサに対応するアプリケーションが前記センサモジュールに記憶されていること、
前記センサモジュールが前記設備端末を制御する出力信号を前記サーバに送信すると、前記サーバは受信した同出力信号を前記設備端末に送信すること
を特徴とする設備端末制御システム。
【請求項２】
請求項１に記載の設備端末制御システムにおいて、
前記センサの回路の電圧に応じた出力信号が前記センサモジュールから前記サーバに送信されること
を特徴とする設備端末制御システム。
【請求項３】
請求項１または２のいずれか一項に記載の設備端末制御システムにおいて、
前記センサの種類に対応した複数のアプリケーションが前記サーバに記憶されていること、
前記サーバから前記センサモジュールにアプリケーションが送信されること、
ならびに、前記センサモジュールに前記センサが取り付けられているとき、前記複数のアプリケーションのうちの同センサに対応するアプリケーションのリストが作成されること
を特徴とする設備端末制御システム。
【請求項４】
請求項１〜３のいずれか一項に記載の設備端末制御システムにおいて、
前記センサを取り付けるための複数のポートが前記センサモジュールに設けられていること、
前記センサの種類に対応した複数のアプリケーションが前記サーバに記憶されていること、
前記サーバから前記センサモジュールにアプリケーションが送信されること、
ならびに、前記センサモジュールに複数の前記センサが取り付けられているとき、前記複数のセンサの組み合わせに対応するアプリケーションが前記センサモジュールに記憶されていること
を特徴とする設備端末制御システム。
【請求項５】
請求項１〜４のいずれか一項に記載の設備端末制御システムにおいて、
前記センサを取り付けるための複数のポートが前記センサモジュールに設けられていること、
前記センサの種類に対応した複数のアプリケーションが前記サーバに記憶されていること、
前記サーバから前記センサモジュールにアプリケーションが送信されること、
ならびに、前記センサモジュールに複数の前記センサが取り付けられているとき、これらセンサの組み合わせに応じたアプリケーションのリストが作成されること
を特徴とする設備端末制御システム。
【請求項６】
請求項１に記載の設備端末制御システムにおいて、
前記アプリケーションの実行態様を前記操作端末により変更することができること
を特徴とする設備端末制御システム。
【請求項７】
請求項１または６に記載の設備端末制御システムにおいて、
前記操作端末に表示部が設けられていること
を特徴とする設備端末制御システム。
【請求項８】
請求項７に記載の設備端末制御システムにおいて、
前記表示部に液晶パネルが設けられていること
を特徴とする設備端末制御システム。
【請求項９】
請求項７または８に記載の設備端末制御システムにおいて、
前記操作端末に記憶されるアプリケーションには、操作機能と操作機能に対応したデザインとの組み合わせが含まれていること
を特徴とする設備端末制御システム。
【請求項１０】
請求項７〜９のいずれか一項に記載の設備端末制御システムにおいて、
前記表示部がタッチパネルとして構成されていること、
ならびに、前記アプリケーションにより前記タッチパネルの機能およびデザインが変更されること
を特徴とする設備端末制御システム。
【請求項１１】
請求項１〜１０のいずれか一項に記載の設備端末制御システムにおいて、
前記サーバにおいて前記アプリケーションが更新されたとき、その旨を示す情報をユーザに報知するための報知制御が行なわれること
を特徴とする設備端末制御システム。
【請求項１２】
請求項１〜１１のいずれか一項に記載の設備端末制御システムにおいて、
前記サーバにおいて前記アプリケーションが更新されたとき、前記センサモジュールにおいて同アプリケーションに対応するアプリケーションが更新されること
を特徴とする設備端末制御システム。
【請求項１３】
請求項１〜１２のいずれか一項に記載の設備端末制御システムにおいて、
前記サーバと前記センサモジュールとの間で無線通信が行なわれること
を特徴とする設備端末制御システム。
【請求項１４】
請求項１〜１３に記載の設備端末制御システムに設けられ、前記センサを取り付けることおよび前記センサを取り外すことができるセンサモジュール。
【発明の詳細な説明】
【技術分野】
【０００１】
本発明は、センサモジュール、ならびにセンサおよびサーバを含む設備端末制御システムに関する。
【背景技術】
【０００２】
上記設備端末制御システムとして、特許文献１に記載のものが知られている。
この設備端末制御システムに設けられるサーバは、センサの出力信号に基づいて各種の制御を行う。
【先行技術文献】
【特許文献】
【０００３】
【特許文献１】特開２００５−２１５７８９号公報
【発明の概要】
【発明が解決しようとする課題】
【０００４】
上記設備端末制御システムにセンサを追加する場合には、センサを建造物の所定の位置に取り付けるための作業、およびセンサとサーバとを接続するための配線の作業等が必要になる。すなわち、センサを追加するときには大きな手間がかかる。
【０００５】
本発明は上記課題を解決するためになされたものであり、その目的は、センサを簡単に追加することのできるセンサモジュール、および設備端末制御システムを提供することにある。
【課題を解決するための手段】
【０００６】
上記目的を達成するための手段を以下に示す。
・本発明の設備端末制御システムは、センサおよびサーバを含む設備端末制御システムにおいて、前記センサの出力信号に応じて制御される設備端末と、前記設備端末を操作する操作端末であって、前記センサを取り付けることおよび前記センサを取り外すことが可能なセンサモジュールとが設けられていること、前記センサの種類に対応した複数のアプリケーションが前記サーバに記憶されていること、前記センサが前記センサモジュールに取り付けられ、該センサモジュールが前記センサに対応するアプリケーションのダウンロード要求を検出すると、該センサに記憶されている識別情報に応じた出力信号が前記センサモジュールを介して前記サーバに送信されること、前記サーバから前記センサモジュールに、前記取り付けられたセンサに対応するアプリケーションが送信されること、前記センサモジュールに前記センサが取り付けられているとき、前記センサに対応するアプリケーションが前記センサモジュールに記憶されていること、前記センサモジュールが前記設備端末を制御する出力信号を前記サーバに送信すると、前記サーバは受信した同出力信号を前記設備端末に送信することを特徴としている。
【０００７】
・この設備端末制御システムにおいては、前記センサの回路の電圧に応じた出力信号が前記センサモジュールから前記サーバに送信されることが好ましい。
【０００９】
・この設備端末制御システムにおいては、前記センサの種類に対応した複数のアプリケーションが前記サーバに記憶されていること、前記サーバから前記センサモジュールにアプリケーションが送信されること、ならびに、前記センサモジュールに前記センサが取り付けられているとき、前記複数のアプリケーションのうちの同センサに対応するアプリケーションのリストが作成されることが好ましい。
【００１０】
・この設備端末制御システムにおいては、前記センサを取り付けるための複数のポートが前記センサモジュールに設けられていること、前記センサの種類に対応した複数のアプリケーションが前記サーバに記憶されていること、前記サーバから前記センサモジュールにアプリケーションが送信されること、ならびに、前記センサモジュールに複数の前記センサが取り付けられているとき、前記複数のセンサの組み合わせに対応するアプリケーションが前記センサモジュールに記憶されていることが好ましい。
【００１１】
・この設備端末制御システムにおいては、前記センサを取り付けるための複数のポートが前記センサモジュールに設けられていること、前記センサの種類に対応した複数のアプリケーションが前記サーバに記憶されていること、前記サーバから前記センサモジュールにアプリケーションが送信されること、ならびに、前記センサモジュールに複数の前記センサが取り付けられているとき、これらセンサの組み合わせに応じたアプリケーションのリストが作成されることが好ましい。
【００１３】
・この設備端末制御システムにおいては、前記アプリケーションの実行態様を前記操作端末により変更することができることが好ましい。
・この設備端末制御システムにおいては、前記操作端末に表示部が設けられていることが好ましい。
【００１４】
・この設備端末制御システムにおいては、前記表示部に液晶パネルが設けられていることが好ましい。
・この設備端末制御システムにおいては、前記操作端末に記憶されるアプリケーションには、操作機能と操作機能に対応したデザインとの組み合わせが含まれていることが好ましい。
【００１５】
・この設備端末制御システムにおいては、前記表示部がタッチパネルとして構成されていること、ならびに、前記アプリケーションにより前記タッチパネルの機能およびデザインが変更されることが好ましい。
【００１６】
・この設備端末制御システムにおいては、前記サーバにおいて前記アプリケーションが更新されたとき、その旨を示す情報をユーザに報知するための報知制御が行なわれることが好ましい。
【００１７】
・この設備端末制御システムにおいては、前記サーバにおいて前記アプリケーションが更新されたとき、前記センサモジュールにおいて同アプリケーションに対応するアプリケーションが更新されることが好ましい。
【００１８】
・この設備端末制御システムにおいては、前記サーバと前記センサモジュールとの間で無線通信が行なわれることが好ましい。
・本発明のセンサモジュールは、センサを取り付けることおよび前記センサを取り外すことができることを特徴としている。
【発明の効果】
【００２０】
本発明によれば、センサモジュール、および設備端末制御システムを提供することができる。
【図面の簡単な説明】
【００２１】
【図１】本発明の第１実施形態の設備端末制御システムについて、その全体構成を模式的に示す模式図。
【図２】同実施形態の設備端末制御システムについて、センサモジュールおよびセンサの構成を示すブロック図。
【図３】同実施形態の設備端末制御システムについて、センサモジュールおよびセンサの斜視構造を示す斜視図。
【図４】同実施形態の設備端末制御システムについて、（ａ）はサーバに記憶されるアプリケーションとインターフェースとの関係を示すテーブル、（ｂ）はサーバに記憶されるインターフェースと画像ファイルとの関係を示すテーブル、（ｃ）はサーバに記憶されるインターフェースと画像ファイルとの関係を示すテーブル。
【図５】同実施形態の設備端末制御システムについて、タッチパネルの表示画面を模式的に示す模式図。
【図６】同実施形態の設備端末制御システムについて、サーバによる「単体アプリケーション設定処理」の実行にともなう設備端末制御システムの各構成要素の動作を示すシーケンス図。
【図７】同実施形態の設備端末制御システムについて、タッチパネルの表示画面を模式的に示す模式図。
【図８】同実施形態の設備端末制御システムについて、サーバによる「連携アプリケーション設定処理」の実行にともなう設備端末制御システムの各構成要素の動作を示すシーケンス図。
【図９】同実施形態の設備端末制御システムについて、タッチパネルの表示画面を模式的に示す模式図。
【図１０】本発明の第２実施形態の設備端末制御システムについて、液晶パネルの表示画面を模式的に示す模式図。
【図１１】本発明のその他の実施形態の設備端末制御システムについて、センサモジュールおよびセンサの構成を示すブロック図。
【図１２】本発明のその他の実施形態の設備端末制御システムについて、その全体構成を模式的に示す模式図。
【発明を実施するための形態】
【００２２】
（第１実施形態）
本実施形態の設備端末制御システム１は、オフィスビルの各部屋に設置された設備端末を一元的に監視および制御するシステムとして構成されている。なお、同設備機器には複数の照明器具および複数の空調設備が含まれる。
【００２３】
図１を参照して、設備端末制御システム１の構成について説明する。
設備端末制御システム１には、当該システム１に含まれる各構成要素の情報等を統括して管理するサーバ１０と、サーバ１０に接続される複数の設備端末２０とが設けられている。またこの他に、各種のセンサ４０を取り付けること、および同センサ４０を取り外すことができるセンサモジュール３０が設けられている。設備端末２０としては、センサ４０の出力信号に応じて制御される照明器具および空調機器が設けられている。
【００２４】
サーバ１０は、センサ４０の種類に対応する複数のアプリケーションを記憶している。また、センサモジュール３０に取り付けられるセンサ４０の種類に応じてセンサモジュール３０にアプリケーションを送信する。また、センサモジュール３０を介してセンサ４０の識別情報を含む出力信号を受信する。
【００２５】
図２を参照して、センサモジュール３０およびセンサ４０の構成について説明する。
センサモジュール３０には、処理部３１、検出部３２、通信部３３、記憶部３４、およびタッチパネル３５が設けられている。またこの他に、センサ４０を取り付けるための４つのポート３７が設けられている。なお、図２においては１つのポート３７のみを示している。
【００２６】
処理部３１は、入力された信号に基づいて各種の制御を行う。検出部３２は、センサモジュール３０のポート３７に取り付けられたセンサ４０の出力信号を検出する。センサ４０の出力信号には、センサ４０の識別情報の信号およびセンサ４０の検出情報の信号が含まれる。なお、検出部３２は処理部３１の一部を構成している。
【００２７】
通信部３３は、サーバ１０との間で信号の送受信を行う。記憶部３４は、ポート３７に取り付けられたセンサ４０の識別情報、サーバ１０からダウンロードされるアプリケーション、およびセンサモジュール３０の識別情報を記憶する。
【００２８】
タッチパネル３５は、各種の情報を表示する液晶画面から構成される表示部と、ユーザが画面に接触して操作することにより各種の制御を設定するための操作部とを兼ねたマンマシンインターフェースとして構成されている。
【００２９】
センサ４０には、検出部４１、記憶部４２、およびポート４４が設けられている。検出部４１は、モニタの対象とする物理パラメーターに応じた検出信号を出力する。記憶部４２は、センサ４０の種類に応じた識別情報を記憶している。センサモジュール３０に取り付けられるセンサ４０としては、例えば湿度センサ、温度センサ、人感センサ、および明るさ計などが挙げられる。
【００３０】
センサモジュール３０およびセンサ４０の関係について説明する。
センサモジュール３０の検出部３２は、ポート３７およびポート４４を介してセンサ４０に電源電力を供給する。また、センサ４０の検出部４１から識別情報を含む出力信号を受信したとき、この識別情報を記憶部３４に記憶する。センサ４０の検出部４１は、ポート４４およびポート３７を介してセンサモジュール３０の検出部３２に対して検出信号および識別情報を含む出力信号を出力する。なお、センサモジュール３０とセンサ４０とはグランド接続される。
【００３１】
図３に、センサモジュール３０およびセンサ４０の外観を示す。
センサモジュール３０の本体３６は、箱型の筐体として構成されている。本体３６には、センサ４０のポート４４に対応する４つのポート３７、すなわち第１ポート３７Ａ、第２ポート３７Ｂ、第３ポート３７Ｃ、および第４ポート３７Ｄが設けられている。
【００３２】
センサ４０の本体４３は、箱形の筐体として構成されている。本体４３の端部には、センサモジュール３０のポート３７に対応するポート４４が設けられている。なお、図３においては、センサモジュール３０に対するセンサ４０の挿入態様の一例として、第４ポート３７Ｄにセンサ４０のポート４４が挿入された状態が示されている。
【００３３】
図４を参照して、サーバ１０内のアプリケーションの構成について説明する。
図４（ａ）に示されるように、各アプリケーションは、設備端末２０の操作機能としての各インターフェースに対応している。また、各種のセンサ４０の識別情報と関連付けられている。
【００３４】
図４（ｂ）に示されるように、設備端末２０の動作状態を切り替えるインターフェースは、デザインとしてのＮ個の画像ファイルと関連付けられている。また、インターフェースにより切り替えられる設備端末２０の動作状態には、「オン」および「オフ」が含まれている。なお、アプリケーション上においては、「オン」および「オフ」がそれぞれ「ＯＮ」および「ＯＦＦ」として表示される。
【００３５】
図４（ｃ）に示されるように、設備端末２０の出力状態を変更するインターフェースは、デザインとしてのＮ個の画像ファイル、かつ設備端末２０の動作状態を切り替える上記インターフェースに関連付けられる画像ファイルとは別のファイルと関連付けられている。また、インターフェースにより切り替えられる設備端末２０の出力状態には、「増大」および「減少」が含まれている。なお、アプリケーション上においては、「増大」および「減少」がそれぞれ「ＵＰ」および「ＤＯＷＮ」として表示される。
【００３６】
なお、設備端末２０の動作状態を切り替えるインターフェース、および設備端末２０の出力を変更するインターフェース以外の他のインターフェースについても上記各インターフェースと同様、複数の画像ファイルと関連付けられている。すなわち、各アプリケーションには、操作機能と操作機能に対応したデザインとの組み合わせが含まれている。
【００３７】
図５を参照して、タッチパネル３５の表示形式の一例について説明する。
ここでは、センサモジュール３０にセンサ４０としての明るさ計が取り付けられ、かつ設備端末２０として複数の照明器具が設けられている場合を一例としている。なお、センサ４０および設備端末２０としてここで例示したものとは別のセンサ４０および設備端末２０が設けられる場合、タッチパネル３５の表示形式は、以下に説明する表示形式の一部または全部を別のセンサ４０および設備端末２０に適合したものとなる。
【００３８】
タッチパネル３５には、縦に２列および横に２列に配置された合計４つのエリア、すなわち第１エリア３５Ａ、第２エリア３５Ｂ、第３エリア３５Ｃ、および第４エリア３５Ｄが設けられている。各エリア３５Ａ〜３５Ｄには、それぞれ１種類のインターフェースに対応するデザインが表示される。
【００３９】
第１エリア３５Ａには、設備端末２０の動作状態をオンに設定するインターフェースが表示される。第２エリア３５Ｂには、センサ４０の検出信号に対応した照度を表示するインターフェースが表示される。第３エリア３５Ｃには、設備端末２０の出力状態を増大に設定するインターフェースが表示される。第４エリア３５Ｄには、設備端末２０の出力状態を減少に設定するインターフェースが表示される。
【００４０】
図１および図５を参照して、タッチパネル３５に関連する各機器の動作について説明する。以下の（Ａ）〜（Ｃ）には、ユーザによるタッチパネル３５の操作にともなう各機器の動作が、また（Ｄ）には、センサ４０の出力にともなうタッチパネル３５の動作が示されている。
【００４１】
（Ａ）センサモジュール３０は、ユーザによりタッチパネル３５の第１エリア３５Ａが押されたとき、設備端末２０の駆動状態をオンに設定する出力信号をサーバ１０に送信する。サーバ１０は、センサモジュール３０から出力信号を受信したとき、対応する設備端末２０に同出力信号を送信する。設備端末２０は、サーバ１０から出力信号を受信したとき、同出力信号の情報に基づいて駆動状態をオンに設定する。
【００４２】
（Ｂ）センサモジュール３０は、ユーザによりタッチパネル３５の第３エリア３５Ｃが押されたとき、設備端末２０の出力状態を増大に設定する出力信号をサーバ１０に送信する。サーバ１０は、センサモジュール３０から出力信号を受信したとき、対応する設備端末２０に同出力信号を送信する。設備端末２０は、サーバ１０から出力信号を受信したとき、同出力信号の情報に基づいて出力状態を増大に設定する。
【００４３】
（Ｃ）センサモジュール３０は、ユーザによりタッチパネル３５の第４エリア３５Ｄが押されたとき、設備端末２０の出力状態を減少に設定する出力信号をサーバ１０に送信する。サーバ１０は、センサモジュール３０から出力信号を受信したとき、対応する設備端末２０に同出力信号を送信する。設備端末２０は、サーバ１０から出力信号を受信したとき、同出力信号の情報に基づいて出力状態を減少に設定する。
【００４４】
（Ｄ）センサ４０としての明るさ計は、設備端末２０の照度に応じた検出信号を含む出力信号をセンサモジュール３０に送信する。センサモジュール３０は、センサ４０から出力信号を受信したとき、これに含まれる検出信号の情報に基づいて設備端末２０の照度を第２エリア３５Ｂに表示する。
【００４５】
サーバ１０およびセンサモジュール３０の間においては、サーバ１０に記憶されているアプリケーションをセンサモジュール３０にダウンロードしてセンサ４０の使用環境を整える「アプリケーション設定処理」が行なわれる。この「アプリケーション設定処理」としては、以下の「単体アプリケーション設定処理」および「連携アプリケーション設定処理」が用意されている。
【００４６】
「単体アプリケーション設定処理」は、１または複数のセンサ４０がセンサモジュール３０に取り付けられている場合において、１つのセンサ４０に対応するアプリケーションをセンサモジュール３０にダウンロードする。
【００４７】
「連携アプリケーション設定処理」は、複数のセンサ４０がセンサモジュール３０に取り付けられている場合において、複数のセンサ４０の組み合わせに対応する連携アプリケーションをセンサモジュール３０にダウンロードする。
【００４８】
１つのセンサモジュール３０においては、上記の各アプリケーション設定処理の一方または両方を実行することにより、各エリア３５Ａ〜３５Ｄについてのアプリケーションの設定を完了させることができる。また、各エリア３５Ａ〜３５Ｄの少なくとも１つについて、「単体アプリケーション設定処理」および「連携アプリケーション設定処理」の両方によりアプリケーションの設定を行なうこともできる。
【００４９】
図５および図６を参照して、サーバ１０およびセンサモジュール３０間においての「単体アプリケーション設定処理」の流れについて説明する。なお、図６の「ＡＰ」はアプリケーションを示している。
【００５０】
ここでは、センサモジュール３０にセンサ４０としての明るさ計が取り付けられ、かつ設備端末２０として複数の照明器具が設けられている場合を一例としている。なお、センサ４０および設備端末２０としてここで例示したものとは別のセンサ４０および設備端末２０が設けられる場合、「単体アプリケーション設定処理」の内容は、以下に説明する設定処理の一部または全部を別のセンサ４０および設備端末２０に適合したものとなる。
【００５１】
センサモジュール３０は、タッチパネル３５の第１エリア３５Ａに対するアプリケーションのダウンロード要求を検出したとき、このダウンロード要求をサーバ１０に送信する。ダウンロード要求には、センサモジュール３０の識別情報、およびセンサモジュール３０に取り付けられているセンサ４０の識別情報が含まれている。
【００５２】
サーバ１０は、センサモジュール３０からダウンロード要求を受信したとき、ダウンロード要求に含まれるセンサ４０の識別情報に基づいて、センサ４０の種類に対応するアプリケーションリストを作成する。そして、作成したアプリケーションリストを対応するセンサモジュール３０に送信する。
【００５３】
センサモジュール３０は、サーバ１０からアプリケーションリストを受信したとき、このアプリケーションリストをタッチパネル３５の液晶画面に表示する。そして、アプリケーションリストから１つのアプリケーションを選択する旨の要求を検出したとき、アプリケーション選択情報をサーバ１０に送信する。アプリケーション選択情報には、選択された１つのアプリケーションの情報、およびセンサモジュール３０の識別情報が含まれている。
【００５４】
サーバ１０は、センサモジュール３０からアプリケーション選択情報を受信したとき、選択された１つのアプリケーションに対応するインターフェースおよびデザインを含むアプリケーション構成情報をセンサモジュール３０に送信する。
【００５５】
センサモジュール３０は、サーバ１０からアプリケーション構成情報を受信したとき、このアプリケーション構成情報に含まれるインターフェースおよびデザインを記憶部３４に記憶する。これにより、サーバ１０からセンサモジュール３０へのアプリケーションのダウンロードが完了する。
【００５６】
また、第２エリア３５Ｂ、第３エリア３５Ｃ、および第４エリア３５Ｄについても、第１エリア３５Ａと同様の「単体アプリケーション設定処理」が行なわれる。そして、全てのエリアのアプリケーションの設定が完了することにより、センサ４０に基づく設備端末２０の制御を行なうための環境が整えられる。なお、各エリアにおいて「単体アプリケーション設定処理」を必要としないものがある場合には、そのエリアについての「単体アプリケーション設定処理」を省略しても設備端末２０の制御を行なうための環境が整えられる。
【００５７】
図７を参照して、「単体アプリケーション設定処理」の一環としてタッチパネル３５の操作により行なわれるアプリケーションのダウンロード手順について説明する。なお、図７において符号「Ｈ」が付された手のマークは、ユーザの手を示している。
【００５８】
ここでは、センサモジュール３０にセンサ４０としての明るさ計が取り付けられ、かつ設備端末２０として複数の照明器具が設けられている場合を一例としている。なお、センサ４０および設備端末２０としてここで例示したものとは別のセンサ４０および設備端末２０が設けられる場合、「単体アプリケーション設定処理」の実行手順は、以下に説明する実行手順の一部または全部を同別のセンサ４０および設備端末２０に適合したものとなる。
【００５９】
ユーザは、１または複数のセンサ４０をセンサモジュール３０に取り付けたとき、タッチパネル３５の操作によりセンサモジュール３０にダウンロードするアプリケーションを選択することができる。そして、１または複数のセンサ４０についてアプリケーションのダウンロードを完了させることにより、同１または複数のセンサ４０の使用環境を整えることができる。
【００６０】
具体的な実行手順を以下の（手順１）〜（手順９）に示す。
（手順１）図７（ａ）の二点鎖線で示されるように、第１エリア３５Ａを長押しする。
（手順２）図７（ａ）の実線で示されるように、プルダウンメニューにより表示されるアプリケーションリスト、すなわち設備端末２０の動作状態に関する複数のアプリケーションを含むリストから、任意の１つのアプリケーションを選択する。ここでは、設備端末２０の動作状態をオンに設定するためのインターフェースおよび画像ファイルの組み合わせを含むアプリケーションを選択する。
【００６１】
（手順３）図７（ｂ）の二点鎖線で示されるように、第２エリア３５Ｂを長押しする。
（手順４）図７（ｂ）の実線で示されるように、プルダウンメニューにより表示されるアプリケーションリスト、すなわち照度の表示に関する複数のアプリケーションを含むリストから、任意の１つのアプリケーションを選択する。ここでは、センサ４０としての明るさ計により検出された照度を表示するためのインターフェースおよび画像ファイルの組み合わせを含むアプリケーションを選択する。
【００６２】
（手順５）図７（ｃ）の二点鎖線で示されるように、第３エリア３５Ｃを長押しする。
（手順６）図７（ｃ）の実線で示されるように、プルダウンメニューにより表示されるアプリケーションリスト、すなわち設備端末２０の出力状態に関する複数のアプリケーションを含むリストから、任意の１つのアプリケーションを選択する。ここでは、設備端末２０の出力状態を増大に設定するためのインターフェースおよび画像ファイルの組み合わせを含むアプリケーションを選択する。
【００６３】
（手順７）図７（ｄ）の二点鎖線で示されるように、第４エリア３５Ｄを長押しする。
（手順８）図７（ｄ）の実線で示されるように、プルダウンメニューにより表示されるアプリケーションリスト、すなわち設備端末２０の動作状態に関する複数のアプリケーションを含むリストから、任意の１つのアプリケーションを選択する。ここでは、設備端末２０の出力状態を減少に設定するためのインターフェースおよび画像ファイルの組み合わせを含むアプリケーションを選択する。
【００６４】
（手順９）図７（ｅ）に示されるように、タッチパネル３５の各エリア３５Ａ〜３５Ｄの外側のエリアを長押しする。これにより、図７（ｆ）に示されるように、タッチパネル３５全体の背景画像が変更される。
【００６５】
図８を参照して、サーバ１０およびセンサモジュール３０間においての「連携アプリケーション設定処理」の流れについて説明する。なお、図８の「ＡＰ」はアプリケーションを示している。
【００６６】
ここでは、センサモジュール３０に複数のセンサ４０として温度計および湿度計が取り付けられ、かつ設備端末２０として複数の空調機器が設けられている場合を一例としている。なお、センサ４０および設備端末２０としてここで例示したものとは別のセンサ４０および設備端末２０が設けられる場合、「連携アプリケーション設定処理」の内容は、以下に説明する設定処理の一部または全部を同別のセンサ４０および設備端末２０に適合したものとなる。
【００６７】
センサモジュール３０は、タッチパネル３５の第１エリア３５Ａに対するアプリケーションのダウンロード要求を検出したとき、このダウンロード要求をサーバ１０に送信する。ダウンロード要求には、センサモジュール３０の識別情報、およびセンサモジュール３０に取り付けられている複数のセンサ４０の識別情報が含まれている。
【００６８】
サーバ１０は、センサモジュール３０からダウンロード要求を受信したとき、ダウンロード要求に含まれる複数のセンサ４０の識別情報に基づいて、複数のセンサ４０の組み合わせに対応する連携アプリケーションリストを作成する。そして、作成した連携アプリケーションリストを対応するセンサモジュール３０に送信する。
【００６９】
センサモジュール３０は、サーバ１０から連携アプリケーションリストを受信したとき、この連携アプリケーションリストをタッチパネル３５の液晶画面に表示する。そして、連携アプリケーションリストから１つの連携アプリケーションを選択する旨の要求を検出したとき、連携アプリケーション選択情報をサーバ１０に送信する。連携アプリケーション選択情報には、選択された１つの連携アプリケーションの情報、およびセンサモジュール３０の識別情報が含まれている。
【００７０】
サーバ１０は、センサモジュール３０から連携アプリケーション選択情報を受信したとき、選択された１つの連携アプリケーションに対応するインターフェースおよびデザインを含む連携アプリケーション構成情報をセンサモジュール３０に送信する。
【００７１】
センサモジュール３０は、サーバ１０から連携アプリケーション構成情報を受信したとき、この連携アプリケーション構成情報に含まれるインターフェースおよびデザインを記憶部３４に記憶する。これにより、サーバ１０からセンサモジュール３０への連携アプリケーションのダウンロードが完了する。
【００７２】
また、第２エリア３５Ｂ、第３エリア３５Ｃ、および第４エリア３５Ｄについても、第１エリア３５Ａと同様の「連携アプリケーション設定処理」が行なわれる。そして、全てのエリアのアプリケーションの設定が完了することにより、複数のセンサ４０の連携に基づく設備端末２０の制御を行なうための環境が整えられる。なお、各エリアにおいて「連携アプリケーション設定処理」を必要としないものがある場合には、そのエリアについての「連携アプリケーション設定処理」を省略しても設備端末２０の制御を行なうための環境が整えられる。
【００７３】
図９を参照して、「連携アプリケーション設定処理」の一環としてタッチパネル３５の操作により行なわれる連携アプリケーションの環境設定の手順について説明する。なお、図９において符号「Ｈ」が付された手のマークは、ユーザの手を示している。
【００７４】
ここでは、センサモジュール３０に複数のセンサ４０としての温度計および湿度計が取り付けられ、かつ設備端末２０として複数の空調機器が設けられている場合を一例としている。なお、センサ４０および設備端末２０としてここで例示したものとは別のセンサ４０および設備端末２０が設けられる場合、「連携アプリケーション設定処理」の実行手順は、以下に説明する実行手順の一部または全部を同別のセンサ４０および設備端末２０に適合したものとなる。
【００７５】
ユーザは、複数のセンサ４０をセンサモジュール３０に取り付けたとき、かつセンサモジュール３０への連携アプリケーションのダウンロードが完了した後、タッチパネル３５の操作により連携アプリケーションの環境設定を行なうことができる。そして、連携アプリケーションの環境設定を完了させることにより、複数のセンサ４０を連携させるための使用環境を整えることができる。
【００７６】
図９（ａ）に示されるように、温度計および湿度計の連携アプリケーションのダウンロードにともない、タッチパネル３５の第１エリア３５Ａには、温度および湿度の表示機能が表示される。また第２エリア３５Ｂには、設備端末２０の動作状態の表示機能が表示される。
【００７７】
連携アプリケーションの環境設定の一例として、空調機器の自動運転開始条件を「温度２６．５度以上かつ湿度５０％以上」から「温度２６度以上かつ湿度６０％以上」に変更するときの具体的な手順を以下の（手順１）〜（手順４）に示す。
【００７８】
（手順１）図９（ａ）に示されるように、第１エリア３５Ａを長押しする。
（手順２）図９（ｂ）に示されるように、第３エリア３５Ｃおよび第４エリア３５Ｄに表示されるテンキーを押すことにより、設備端末２０の自動運転開始条件としての温度および湿度を設定する。
【００７９】
（手順３）図９（ｃ）に示されるように、（手順２）により設定した温度および湿度の表示を第２エリア３５Ｂにドラッグする。すなわち、（手順２）の自動運転開始条件を設備端末２０の動作状態に関連付ける。
【００８０】
（手順４）図９（ｄ）に示されるように、設備端末２０の動作状態を選択するプルダウンメニューにより「ＯＮ」を選択する。すなわち、（手順２）の自動運転開始条件が満たされるときに設備端末２０の動作状態をオンに設定するための関連付けを行なう。
【００８１】
（実施形態の効果）
本実施形態の設備端末制御システム１によれば以下の効果が得られる。
（１）設備端末制御システム１においては、センサ４０を取り付けることおよびセンサ４０を取り外すことができるセンサモジュール３０が設けられている。また、センサモジュール３０に取り付けられたセンサ４０の出力信号がサーバ１０に送信される。
【００８２】
この構成によれば、センサモジュール３０にセンサ４０を取り付けることにより、設備端末制御システム１においてセンサ４０を用いた設備端末２０の制御が可能になる。すなわち、設備端末制御システム１にセンサ４０を簡単に追加することができる。
【００８３】
（２）設備端末制御システム１においては、センサ４０に記憶されている識別情報に応じた出力信号がセンサモジュール３０からサーバ１０に送信される。この構成によれば、センサモジュール３０によりセンサ４０の種類が検出されるため、センサモジュール３０に取り付けられたセンサ４０の種類をサーバ１０等に入力する手間を省くことができる。
【００８４】
（３）設備端末制御システム１においては、センサ４０の種類に応じた複数のアプリケーションがサーバ１０に記憶されている。また、センサモジュール３０にセンサ４０が取り付けられたとき、同センサ４０に対応するアプリケーションがサーバ１０からセンサモジュール３０に送信される。
【００８５】
この構成によれば、センサ４０の使用環境を整えるために必要な情報が自動的にセンサモジュール３０に用意される。このため、ユーザが手動でアプリケーションをダウンロードする構成と比較して、センサ４０の使用環境を整えるための手間が軽減される。
【００８６】
（４）設備端末制御システム１においては、センサモジュール３０にセンサ４０が取り付けられたとき、複数のアプリケーションのうちの同センサ４０に対応するアプリケーションのリストが作成される。この構成によれば、例えばユーザがサーバ１０にアクセスしてセンサ４０に対応するアプリケーションを検索する構成と比較して、センサ４０の使用環境を整えるための手間が軽減される。
【００８７】
（５）設備端末制御システム１においては、センサ４０の種類に応じた複数のアプリケーションがサーバ１０に記憶されている。また、センサモジュール３０に複数のセンサ４０が取り付けられたとき、同複数のセンサ４０の組み合わせに対応する連携アプリケーションがサーバ１０からセンサモジュール３０に送信される。
【００８８】
この構成によれば、複数のセンサ４０の使用環境を整えるために必要な情報が自動的にセンサモジュール３０に用意される。このため、ユーザが手動で連携アプリケーションをダウンロードする構成と比較して、センサ４０の使用環境を整えるための手間が軽減される。
【００８９】
（６）設備端末制御システム１においては、センサモジュール３０に複数のセンサ４０が取り付けられたとき、これらセンサ４０の組み合わせに応じた連携アプリケーションのリストが作成される。この構成によれば、例えばユーザがサーバ１０にアクセスして複数のセンサ４０に対応する連携アプリケーションを検索する構成と比較して、複数のセンサ４０の使用環境を整えるための手間が軽減される。
【００９０】
（７）設備端末制御システム１においては、センサモジュール３０の操作によりアプリケーションの環境設定を行なうことができる。この構成によれば、ユーザがセンサモジュール３０にセンサを取り付けたとき、同モジュール３０を操作してすぐに環境設定を行なうことができる。
【００９１】
（８）設備端末制御システム１においては、設備端末２０の操作機能、および操作機能に対応したデザインを含むアプリケーションがセンサモジュール３０に記憶される。この構成によれば、センサモジュール３０の操作機能を容易に追加することができる。また、操作機能とデザインとを組み合わせることにより、操作機能ごとにデザインを設定することができる。
【００９２】
（９）設備端末制御システム１においては、センサモジュール３０にタッチパネル３５が設けられている。この構成によれば、タッチパネル３５を確認することにより、センサモジュール３０に記憶されているアプリケーションの内容を把握することができる。
【００９３】
（第２実施形態）
本実施形態の設備端末制御システム１は、第１実施形態の設備端末制御システム１の一部を変更したものとして構成されている。このため、以下では第１実施形態の設備端末制御システム１と異なる点の詳細を説明し、同実施形態と共通する構成については同一の符号を付してその説明の一部または全部を省略する。
【００９４】
第１実施形態の設備端末制御システム１においては、操作部および表示部としてのタッチパネル３５がセンサモジュール３０に設けられている。これに対して本実施形態の設備端末制御システム１においては、タッチパネル３５に代えて、表示部としての液晶パネル３８および操作部としての４つの操作ボタン３９がセンサモジュール３０に設けられている。
【００９５】
図１０を参照して、「単体アプリケーション設定処理」の一環として操作ボタン３９の操作により行なわれるアプリケーションのダウンロード手順について説明する。なお、図１０において符号「Ｈ」が付された手のマークは、ユーザの手を示している。
【００９６】
ここでは、センサモジュール３０にセンサ４０としての明るさ計が取り付けられ、かつ設備端末２０として複数の照明器具が設けられている場合を一例としている。なお、センサ４０および設備端末２０としてここで例示したものとは別のセンサ４０および設備端末２０が設けられる場合、「単体アプリケーション設定処理」の実行手順は、以下に説明する実行手順の一部または全部を同別のセンサ４０および設備端末２０に適合したものとなる。
【００９７】
ユーザは、１または複数のセンサ４０をセンサモジュール３０に取り付けたとき、操作ボタン３９の操作によりセンサモジュール３０にダウンロードするアプリケーションを選択することができる。そして、１または複数のセンサ４０についてアプリケーションのダウンロードを完了させることにより、同１または複数のセンサ４０の使用環境を整えることができる。
【００９８】
具体的な実行手順を以下の（手順１）〜（手順４）に示す。
（手順１）図１０（ａ）に示されるように、センサ４０に対応するアプリケーションが複数あるとき、液晶パネル３８に「複数のアプリが使用可能です。リスト表示しますか？」旨のメッセージ、およびこれに対する回答の選択肢が表示される。ここでは、「ＹＥＳ」に対応する操作ボタン３９を押す。
【００９９】
（手順２）図１０（ｂ）の実線で示されるように、液晶パネル３８に表示されるアプリケーションのリストを参照し、ダウンロードを希望するアプリケーションの番号と対応する操作ボタン３９を押す。
【０１００】
（手順３）上記（手順２）において「１」を選択したとき、図１０（ｃ）に示されるように、設備端末２０の動作状態を変更するインターフェースおよび画像がダウンロードされる。
【０１０１】
ここでは、動作状態を変更する画像として、「ＯＮ」、「ＯＦＦ」、「ＯＮ操作」、および「ＯＦＦ操作」がダウンロードされる。そして、左から２番目の操作ボタン３９に「ＯＮ操作」の機能および画像が対応付けられる。また、右から２番目の操作ボタン３９に「ＯＦＦ操作」の機能および画像が対応付けられる。
【０１０２】
（手順４）上記（手順２）において「２」を選択したときには、図１０（ｄ）に示されるように、設備端末２０の出力状態を増大および減少させるインターフェースおよび画像がダウンロードされる。
【０１０３】
ここでは、出力状態を変更する画像として、「ＵＰ」、「ＤＯＷＮ」、「ＵＰ操作」、および「ＤＯＷＮ操作」がダウンロードされる。そして、左から２番目の操作ボタン３９に「ＵＰ操作」の機能および画像が対応付けられる。また、右から２番目の操作ボタン３９に「ＤＯＷＮ操作」の機能および画像が対応付けられる。
【０１０４】
なお、上記（手順２）において複数のアプリケーションをダウンロードしたときには、操作ボタン３９の操作により各アプリケーションを順次呼び出し、アプリケーション毎に環境設定を行なうことができる。
【０１０５】
（実施形態の効果）
本実施形態の設備端末制御システム１によれば、第１実施形態の（１）〜（８）の効果、および以下の（１１）の効果が得られる。
【０１０６】
（１１）設備端末制御システム１においては、センサモジュール３０に液晶パネル３が設けられている。この構成によれば、液晶パネル３８を確認することにより、センサモジュール３０に記憶されているアプリケーションの内容を把握することができる。
【０１０７】
（その他の実施形態）
本発明の実施態様は第１および第２実施形態に限られるものではなく、例えば以下に示すように変更することもできる。また以下の各変形例は、第１および第２実施形態についてのみ適用されるものではなく、異なる変形例同士を互いに組み合わせて実施することもできる。
【０１０８】
・第１および第２実施形態（図２）では、センサ４０の識別情報によりセンサ４０の種類の識別が行なわれるが、センサ４０の回路の電圧に応じた出力信号に基づいてセンサ４０の種類を識別することもできる。図１１を参照して、この識別方法について説明する。
【０１０９】
この変形例のセンサ４０においては、信号の出力側にコンデンサ４５が設けられている。また、センサモジュール３０からセンサ４０に供給される電源電流と、センサ４０からセンサモジュール３０に送信される出力信号の電流との間には、センサ４０の内部回路の抵抗Ｒ１により電圧が生じている。また、センサ４０からセンサモジュール３０に送信される出力信号の電流と、センサモジュール３０およびセンサ４０を接続するグランドの電流との間には、抵抗Ｒ２により電圧が生じている。すなわち、センサ４０には抵抗Ｒ１と抵抗Ｒ２とにより分圧回路が構成されている。
【０１１０】
この分圧回路の分圧、すなわち抵抗Ｒ１と抵抗Ｒ２との比に応じた出力信号は、センサ４０の種類ごとに異なる大きさとなる。そこで、センサモジュール３０は、分圧回路の分圧に応じた出力信号に基づいてセンサ４０の種類を識別し、センサ４０の識別情報を記憶部３４に記憶する。また、サーバ１０に対してダウンロード要求を行うときには、上記の識別情報を含めてサーバ１０に出力信号を送信する。
【０１１１】
・第１および第２実施形態（図１）では、サーバ１０と設備端末２０およびセンサモジュール３０との間で伝送線を介して信号の送受信が行なわれるが、図１２に示されるように、無線通信により信号の送受信を行なうこともできる。
【０１１２】
図１２の設備端末制御システム１においては、サーバ１０に無線通信機５０が接続されている。設備端末２０およびセンサモジュール３０は、無線通信により無線通信機５０との間で信号の送受信を行う。無線通信機５０は、設備端末２０およびセンサモジュール３０から受信した信号をサーバ１０に送信する。また、サーバ１０から受信した信号を設備端末２０およびセンサモジュール３０に送信する。この構成によれば、設備端末２０およびセンサモジュール３０を移動させることができるため、センサ４０の検出動作に適した場所にセンサモジュール３０を容易に移動させることができる。
【０１１３】
・第１および第２実施形態（図７および図１０）では、インターフェースとデザインとの組み合わせにより構成されるアプリケーションがセンサモジュール３０に記憶されるが、デザインを含まないアプリケーションをセンサモジュール３０に記憶することもできる。このアプリケーションにおいては、センサモジュール３０に予め設定される文字表示により、タッチパネル３５または液晶パネル３８にインターフェースが表示される。
【０１１４】
・第１および第２実施形態（図１）では、センサモジュール３０が操作端末として設けられているが、センサモジュール３０とは別に携帯可能な操作端末を設けることもできる。または、設備端末２０の一部として操作端末を設けることもできる。この構成においては、サーバ１０の信号の送受信が次のように行なわれる。
【０１１５】
すなわちサーバ１０は、この操作端末からダウンロード要求を受信したとき、センサモジュール３０に取り付けられているセンサ４０の識別情報を取得し、操作端末に対して同センサ４０に対応するアプリケーションリストを送信する。そして、選択されたアプリケーションの情報を操作端末から受信したとき、同アプリケーションをセンサモジュール３０に送信する。
【０１１６】
・第１および第２実施形態（図２）では、センサ４０の識別情報に基づいてセンサ４０の種類の識別が行なわれるが、ユーザがタッチパネル３５または操作ボタン３９を操作することにより、センサモジュール３０にセンサ４０の種類を入力することもできる。
【０１１７】
・第１および第２実施形態（図６）に対して次の構成を追加することもできる。すなわち、サーバ１０は、自身に記憶されているアプリケーションが更新されたことに基づいて、アプリケーションが更新された旨を含む情報をセンサモジュール３０に送信する。センサモジュール３０は、同情報をサーバ１０から受信したとき、タッチパネル３５または液晶パネル３８にアプリケーションの更新を促すメッセージを表示する。そして、このメッセージを確認したユーザがセンサモジュール３０を操作してダウンロード要求を設定したとき、センサモジュール３０がサーバ１０にダウンロード要求を送信する。この構成によれば、ユーザはアプリケーションが更新されたことを容易に把握することができる。
【０１１８】
・第１および第２実施形態（図６）では、ダウンロード要求に基づいてサーバ１０からセンサモジュール３０へのアプリケーションのダウンロードが行なわれるが、ダウンロード方法を次のように変更することもできる。すなわち、サーバ１０に記憶されているアプリケーションが更新されたとき、このアプリケーションをセンサモジュール３０に自動的にダウンロードすることもできる。すなわち、サーバ１０の管理により、センサモジュール３０に記憶されているアプリケーションのバージョンをサーバ１０のアプリケーションと同期させることもできる。この構成によれば、ユーザがセンサモジュール３０のアプリケーションを更新する手間が省略される。
【０１１９】
・第１および第２実施形態（図１）では、センサ４０の検出信号がサーバ１０を介して設備端末２０に出力されるが、サーバ１０を介することなくセンサ４０から設備端末２０に直接的に検出信号を出力することもできる。
【０１２０】
・第１および第２実施形態（図１）では、設備端末２０の動作状態の制御が同設備端末２０により行なわれるが、サーバ１０またはセンサモジュール３０が設備端末２０の動作状態を制御することもできる。
【符号の説明】
【０１２１】
１…設備端末制御システム、１０…サーバ、２０…設備端末、３０…センサモジュール（操作端末）、３５…タッチパネル（表示部、操作部）、３７…ポート、３８…液晶パネル（表示部）、３９…操作ボタン（操作部）４０…センサ、４４…ポート、５０…無線通信機。
【図１】
0005799256.tif 000002
【図２】
0005799256.tif 000003
【図３】
0005799256.tif 000004
【図４】
0005799256.tif 000005
【図５】
0005799256.tif 000006
【図６】
0005799256.tif 000007
【図７】
0005799256.tif 000008
【図８】
0005799256.tif 000009
【図９】
0005799256.tif 000010
【図１０】
0005799256.tif 000011
【図１１】
0005799256.tif 000012
【図１２】
0005799256.tif 000013